(57)【要約】【課題】ユーザが接続を希望する電子機器を容易に選択することができるようにする。【解決手段】システム制御部３０７は、少なくとも他の電子機器を示す機器表示体を映像として表示部２０２に表示し、当該映像に対する操作を検出する。そして、システム制御部は、映像に対する操作に応じてネットワーク接続の切断又はネットワーク接続の確立を行い、他の電子機器から当該他の電子機器のネットワーク接続の状態を示す接続情報を取得して、接続情報に基づいてネットワーク接続が行われている電子機器の接続を示す接続表示体を映像に重畳して表示部に表示する。【選択図】図２
2019003496.tif 000002
【特許請求の範囲】
【請求項１】
ネットワーク接続が可能な電子機器であって、
少なくとも他の電子機器を示す機器表示体を映像として表示する表示手段と、
前記映像に対する操作を検出する検出手段と、
前記検出手段によって検出された操作に応じて前記ネットワーク接続の切断又は前記ネットワーク接続の確立を行う制御手段と、
前記他の電子機器から当該他の電子機器のネットワーク接続の状態を示す接続情報を取得する取得手段と、
前記接続情報に基づいて前記ネットワーク接続が行われている電子機器の接続を示す接続表示体を前記映像に重畳して表示する表示制御手段と、
を有することを特徴とする電子機器。
【請求項２】
前記他の電子機器を撮像して前記他の電子機器の映像を得る撮像手段を有し、
前記表示手段は前記撮像手段で得られた映像を表示することを特徴とする請求項１に記載の電子機器。
【請求項３】
前記取得手段は、さらに前記他の電子機器を特定するための機器情報を前記他の電子機器から取得し、
前記表示制御手段は前記機器情報を前記映像に重畳して表示することを特徴とする請求項１又は２に記載の電子機器。
【請求項４】
前記表示制御手段は、前記電子機器を示す自機器表示体を前記映像に重畳して表示することを特徴とする請求項１乃至３のいずれか１項に記載の電子機器。
【請求項５】
前記表示制御手段は、前記他の電子機器と前記電子機器とのネットワーク接続が行われた際には、前記他の電子機器と前記電子機器とのネットワーク接続を示す接続表示体を前記映像に重畳して表示することを特徴とする請求項４に記載の電子機器。
【請求項６】
前記検出手段によって前記接続表示体を横切る操作が検出されると、前記制御手段は、当該接続表示体に係るネットワーク接続を切断し、前記表示制御手段は当該接続表示体を非表示とすることを特徴とする請求項１乃至５のいずれか１項に記載の電子機器。
【請求項７】
前記検出手段によって前記機器表示体又は前記自機器表示体を結ぶ操作が検出されると、を横切る操作が検出されると、前記制御手段は、当該操作が行われた前記機器表示体又は前記自機器表示体についてネットワーク接続を確立し、前記表示制御手段は当該ネットワーク接続に係る接続表示体を表示することを特徴とする請求項１乃至６のいずれか１項に記載の電子機器。
【請求項８】
前記他の電子機器又は前記電子機器における通信規格を選択する選択手段を有することを特徴とする請求項１乃至７のいずれか１項に記載の電子機器。
【請求項９】
前記制御手段は前記ネットワーク接続の切断が不可である状態では前記検出手段によって前記ネットワーク接続を切断する操作が検出されても当該操作を不許可とすることを特徴とする請求項１乃至８のいずれか１項に記載の電子機器。
【請求項１０】
前記表示制御手段は前記ネットワーク接続の切断が不可である接続表示体と前記ネットワーク接続の切断が可能である接続表示体とを異ならせて表示することを特徴とする請求項１乃至９のいずれか１項に記載の電子機器。
【請求項１１】
ネットワーク接続が可能な電子機器の制御方法であって、
少なくとも他の電子機器を示す機器表示体を映像として表示部に表示する表示ステップと、
前記映像に対する操作を検出する検出ステップと、
前記検出ステップで検出された操作に応じて前記ネットワーク接続の切断又は前記ネットワーク接続の確立を行う制御ステップと、
前記他の電子機器から当該他の電子機器のネットワーク接続の状態を示す接続情報を取得する取得ステップと、
前記接続情報に基づいて前記ネットワーク接続が行われている電子機器の接続を示す接続表示体を前記映像に重畳して表示する表示制御ステップと、
を有することを特徴とする制御方法。
【請求項１２】
ネットワーク接続が可能な電子機器で用いられる制御プログラムであって、
前記電子機器が備えるコンピュータに、
少なくとも他の電子機器を示す機器表示体を映像として表示部に表示する表示ステップと、
前記映像に対する操作を検出する検出ステップと、
前記検出ステップで検出された操作に応じて前記ネットワーク接続の切断又は前記ネットワーク接続の確立を行う制御ステップと、
前記他の電子機器から当該他の電子機器のネットワーク接続の状態を示す接続情報を取得する取得ステップと、
前記接続情報に基づいて前記ネットワーク接続が行われている電子機器の接続を示す接続表示体を前記映像に重畳して表示する表示制御ステップと、
を実行させることを特徴とする制御プログラム。
【発明の詳細な説明】
【技術分野】
【０００１】
本発明は、電子機器、その制御方法、および制御プログラムに関し、特に、電子機器における無線通信を用いた通信接続に関する。
【背景技術】
【０００２】
一般に、電子機器において、無線ＬＡＮ又はＷＩＦＩ（登録商標）、Ｂｌｕｅｔｏｏｔｈ（登録商標）などの無線通信規格を備えて、無線通信を用いてデータの送受信を行うものが知られている。そして、無線通信を行う際には、ユーザ使用の電子機器と、接続を希望する相手側電子機器との間で接続設定を行う必要がある。
【０００３】
従来、接続設定の際には、ユーザ電子機器の周囲に存在する電子機器の機器名をリストとしてユーザ電子機器に備えられた表示部に表示して、ユーザは接続を希望する電子機器をリストから選択して接続設定を行う。
【０００４】
ところが、上述の接続設定においては、ユーザ電子機器と接続可能な電子機器がリスト表示されるものの、リスト表示においてはユーザが接続を希望する電子機器以外の電子機器に係る情報も表示されることなる。この結果、ユーザが接続を希望する電子機器を選択するまでに時間が掛かってしまう。
【０００５】
さらには、ユーザが接続を希望する電子機器が既に他の電子機器とネットワークを構成しているような場合、リスト表示のみでは当該電子機器が既にネットワークを構成しているか否かを把握することができない。
【０００６】
このため、例えば、無線ネットワークシステムにおいてネットワークに係る接続情報を可視化するようにした技術が知られている（特許文献１参照）。
【先行技術文献】
【特許文献】
【０００７】
【特許文献１】特開２０１２−２１６９２６号公報
【発明の概要】
【発明が解決しようとする課題】
【０００８】
しかしながら、特許文献１においては、無線ネットワークシステムにおいてネットワーク接続を可視化しているのみであって、ネットワークの構成をユーザがリアルタイムに操作することは困難である。このため、ユーザが電子機器を容易に操作することはできない。
【０００９】
従って、本発明の目的は、ユーザが電子機器を容易に操作することができる電子機器、その制御方法、および制御プログラムを提供することにある。
【課題を解決するための手段】
【００１０】
上記の目的を達成するため、本発明による電子機器は、ネットワーク接続が可能な電子機器であって、少なくとも他の電子機器を示す機器表示体を映像として表示する表示手段と、前記映像に対する操作を検出する検出手段と、前記検出手段によって検出された操作に応じて前記ネットワーク接続の切断又は前記ネットワーク接続の確立を行う制御手段と、前記他の電子機器から当該他の電子機器のネットワーク接続の状態を示す接続情報を取得する取得手段と、前記接続情報に基づいて前記ネットワーク接続が行われている電子機器の接続を示す接続表示体を前記映像に重畳して表示する表示制御手段と、を有することを特徴とする。
【発明の効果】
【００１１】
本発明によれば、ユーザは電子機器を容易に操作することができる。
【図面の簡単な説明】
【００１２】
【図１】本発明の実施の形態による電子機器の一例について外観を示す斜視図である。
【図２】図１に示すカメラの構成についてその一例を示すブロック図である。
【図３】図２に示すカメラで行われるネットワーク接続を説明するためのフローチャートである。
【図４】図２に示すカメラで撮像された他の通信装置に係る映像一例を示す図である。
【図５】図２に示すシステム制御部によって管理される機器情報管理テーブルの一例を示す図である。
【図６】図４に示す映像において第１の無線通信装置および第２の無線通信装置のネットワーク接続を示す接続線が表示された状態を示す図である。
【図７】図６に示す映像においてユーザが第１の無線通信装置と第２の無線通信装置とのネットワーク接続について切断操作を行う際の一例を説明するための図である。
【図８】図２に示すカメラにおいてユーザによる接続操作の一例を説明するための図である。
【図９】図２に示すカメラにおけるネットワーク接続の切断の不許可について説明するための図である。
【図１０】図２に示すカメラにおいて第１の無線通信装置および第２の無線通信装置をネットワーク接続する際の操作の一例を説明するための図である。
【発明を実施するための形態】
【００１３】
以下に、本発明の実施の形態による電子機器の一例について図面を参照して説明する。
【００１４】
図１は、本発明の実施の形態による電子機器の一例について外観を示す斜視図である。そして、図１（ａ）は正面図であり、図１（ｂ）は背面図である。なお、ここでは、電子機器の一例として、無線通信機能を備えるデジタルカメラ（以下単にカメラと呼ぶ）を例に挙げて説明する。
【００１５】
カメラ２００はカメラ筐体を有しており、カメラ筐体の正面には撮像光学系２０１が配置されている。この撮像光学系２０１は撮影レンズおよびシャッターを備えている。撮像光学系２０１は被写体像（光学像）をＣＣＤセンサなどの撮像素子（図示せず）の受光面上に結像させる。撮像光学系２０１はレンズ鏡筒２０８に収納されており、レンズ鏡筒２０８はカメラ２００の外装部内において収納状態と繰り出し状態との間で可動である。
【００１６】
一方、カメラ筐体の背面には液晶ディスプレイなどの表示部２０２が配置されており、表示部２０２には画像および各種情報が表示される。さらに、カメラ筐体の背面には操作部材２０４が配置され、操作部材２０４には、例えば、ユーザによる各種操作を受け付けるための各種スイッチ、ボタン、およびタッチパネルが備えられている。
【００１７】
カメラ筐体の上面にはシャッターボタン２０３が配置され、ユーザはシャッターボタン２０３によって撮影指示を行う。さらに、カメラ筐体の上面には、電源をオン又はオフとするための電源スイッチ２０５が配置されている。また、カメラ筐体の下面には、バッテリ収納部２０７が規定されており、このバッテリ収納部２０６には充電可能なバッテリが収納される。
【００１８】
図２は、図１に示すカメラの構成についてその一例を示すブロック図である。なお、図２において、図１に示す構成要素と同一の構成要素については同一の参照番号を付す。
【００１９】
前述のように、撮像光学系２０１は撮影レンズ３０１およびシャッター３０２を有している。撮像部３０３は、前述の撮像素子を備えており、光学像に応じたアナログ信号を出力する。画像処理部３０４は撮像部３０３の出力であるアナログ信号に対して所定のアナログ信号処理を行う相関二重サンプリング部を有している。さらに、画像処理部３０４は所望の増幅度に設定可能なプログラマブル・ゲイン・アンプ部を備えるとともに、アナログデジタルコンバータ部（Ａ／Ｄ変換部）を有している。そして、画像処理部３０４はアナログ信号に応じた画像データを出力する。
【００２０】
タイミング信号発生部（ＴＧ）３０５はシステム制御部３０７の制御下で撮像部３０３および画像処理部３０４にタイミング信号を送る。そして、タイミング信号に応じて撮像部３０３および画像処理部３０４は動作する。撮像光学系駆動部３０６は、システム制御部３０７の制御下で撮影レンズ３０１およびシャッター３０２を駆動する。
【００２１】
システム制御部３０７はカメラ２００全体を制御する。システム制御部３０７は画像処理部３０４の出力である画像データをメモリ３１１に書き込む。メモリ３１１は、所定枚数の静止画像と所定時間の動画像および音声を格納するための十分な記憶容量を有している。なお、メモリ３１１は画像表示用のメモリ（ビデオメモリ）を兼ねている。
【００２２】
システム制御部３０７は、メモリ３１１に格納された表示用画像データに、必要に応じて所定のデータを重畳して、画像として表示部２０２に表示する。
【００２３】
シャッターボタン２０３が所謂半押し状態（撮影準備指示状態）となると。システム制御部３０７は、ＡＦ（オートフォーカス）処理、ＡＥ（自動露出）処理、およびＡＷＢ（オートホワイトバランス）処理などを開始する。シャッターボタン２０３が所謂全押し状態（撮影指示状態）となると、システム制御部３０７は、撮像部３０３の信号読み出しを行って、メモリ３１１又はメモリカード等の記録媒体（図示せず）に画像データを書き込むまでの一連の撮影処理を行う。
【００２４】
通信部３０９は、システム制御部３０７の制御下で、無線アンテナ３０８によって、カメラ２００の周辺に位置する通信装置（他の通信装置）と画像データなどのデータの送受を行う。このデータには、通信規格を示す通信規格情報、カメラ２００又は他の通信装置を特定する機器情報、およびカメラ２００又は他の通信装置の位置を示す位置情報などが含まれる。
【００２５】
図示の通信部３０９は複数の通信規格に対応しており、ここでは、第１の通信規格および第２の通信規格に対応しているものとする。なお、第１の通信規格および第２の通信規格は、例えば、ＩＥＥＥ８０２．１１又はＩＥＥＥ  ８０２．１５．１に準拠する通信規格である。通信部３０９は同一の通信規格で通信を行う他の通信装置器とネットワークの接続を行って、静止画像および動画などの画像データを送受する。
【００２６】
検出部３１０は、ユーザの指の動作、手の動作、又は視線を検出する。ここでは、検出部３１０はユーザによるタッチ操作を検出するものとする。つまり、検出部３１０は表示部２０２と組み合わせれば、ユーザによる表示部２０２のタッチ操作を検出するためのタッチパネルとして用いられる。なお、検出部３１０として、例えば、モーションセンサを用いた場合には、ユーザの手の軌跡などを検出する。
【００２７】
図３は、図２に示すカメラで行われるネットワーク接続を説明するためのフローチャートである。なお、図示のフローチャートに係る処理はシステム制御部３０７の制御下で行われる。
【００２８】
システム制御部３０７は、操作部２０４の操作によって無線によるネットワーク可視化モードが選択されると、無線接続を可視化可能なモード（以下可視化モードと呼ぶ）となる（ステップＳ４０１）。なお、ここでは、操作部２０４において所定の操作が行われると、システム制御部３０７は可視化モードとなる。
【００２９】
続いて、システム制御部３０７は通信部３０９によって、カメラ２００の周辺に位置する通信装置（他の通信装置）に関する機器情報を取得する（ステップＳ４０２）。ここでは、システム制御部３０７は他の通信装置の機器名又は型番などを示す機器情報を取得する。さらに、ステップＳ４０２においては、システム制御部３０７は他の通信装置の通信規格、使用中の通信網（ネットワーク）における占有率、そして、ネットワークとの接続関係を示す接続情報なども機器情報として取得する。なお、システム制御部３０７は機器情報を、例えば、メモリ３１１に記憶する。
【００３０】
続いて、システム制御部３０７は、撮像部３０３によって周辺の他の通信装置を撮像する（ステップＳ４０３）。そして、システム制御部３０７は撮像によって得られた映像（画像）を表示部２０２に表示して、表示された他の通信装置にそれぞれ機器情報を割り当てる（ステップＳ４０４）。
【００３１】
図４は、図２に示すカメラで撮像された他の通信装置に係る映像一例を示す図である。
【００３２】
図示の例では、表示部２００には他の通信装置である第１の無線通信装置１０１および第２の無線通信装置１０２の映像（機器表示体）が表示されている。当該第１の無線通信装置１０１および第２の無線通信装置１０２は少なくとも一つの無線方式による通信規格を備える通信装置である。ここでは、システム制御部３０７は第１の無線通信装置１０１および第２の無線通信装置１０２に係る機器情報をメモリ３１１に記憶する。
【００３３】
図５は、図２に示すシステム制御部によって管理される機器情報管理テーブルの一例を示す図である。なお、図示の機器情報管理テーブルは、例えば、メモリ３１１に記録される。
【００３４】
図示の機器情報管理テーブル６０１は、機器名欄６０２、型番欄６０３、接続情報欄６０４、通信規格欄６０５、および占有率欄６０６を有している。
【００３５】
ここでは、図３に示すステップＳ４０２の処理で、第１の無線通信装置１０１および第２の無線通信装置１０２に係る機器情報を取得したものとする。そして、当該機器情報は機器情報管理テーブル６０１で管理される。
【００３６】
機器名欄６０２には、機器名として第１の無線通信装置１０１および第２の無線通信装置１０２が記録される。型番欄６０３には、第１の無線通信装置１０１および第２の無線通信装置１０２の型番が記録される。ここでは、第１の無線通信装置１０１の型番として「ＴＶ（テレビ）」が記録され、第２の無線通信装置１０２の型番として「ＰＨＯＮＥ（携帯電話機）」が記録される。
【００３７】
接続情報欄６０４には、第１の無線通信装置１０１および第２の無線通信装置１０２はいずれの通信装置とネットワークによる接続を行っているかを示す情報が記録される。ここでは、第１の無線通信装置１０１および第２の無線通信装置１０２の各々について接続相手に関する情報が記録される。図示の例では、接続情報欄６０４には、第１の無線通信装置１０１は第２の無線通信装置１０２と第１の通信規格によって接続されている旨が記録されている。さらに、第２の無線通信装置１０２は第１の無線通信装置１０１と第１の通信規格によって接続されている旨が記録されている。
【００３８】
通信規格欄６０５には、第１の無線通信装置１０１および第２の無線通信装置１０２がいずれの通信規格を備えているかを示す情報が記録される。図示の例では、第１の無線通信装置１０１は第１の通信規格および第２の通信規格を有しており、第２の無線通信装置１０２は第１の通信規格のみを有している。
【００３９】
占有率欄６０６には、第１の無線通信装置１０１および第２の無線通信装置１０２の各々について、ネットワーク接続の際の通信帯域占有率を示す情報が記録される。図示の例では、第１の無線通信装置１０１は複数の通信規格のうち第１の通信規格を用いて第２の無線通信装置１０２とネットワーク接続を行っているので、第１の通信規格に係る通信帯域占有率は５０％として記録される。そして、第１の無線通信装置１０１は第２の通信規格を用いてネットワーク接続を行っていないので、第２の通信規格に係る通信帯域占有率は０％として記録される。
【００４０】
一方、第２の無線通信装置１０２は第１の通信規格を用いて第１の無線通信装置１０１とネットワーク接続を行っているので、第１の通信規格に係る通信帯域占有率は５０％として記録される。
【００４１】
表示部２０２に表示された第１の無線通信装置１０１および第２の無線通信装置１０２に機器情報を割り当てる際には、システム制御部３０７は映像に基づいて第１の無線通信装置１０１および第１の無線通信装置１０２の型番を画像認識する。そして、システム制御部３０７は通信部３０９によってインターネット又はクラウドと接続し、前述の認識した型番に基づいてインターネット又はクラウドから機器情報を得る。
【００４２】
システム制御部３０７は、インターネット又はクラウドから得た機器情報における機器名又は型番と機器情報管理テーブル６０１に記録した機器名又は型番とを比較する。そして、機器名又は型番が等しければ、システム制御部３０７は表示部２０２に表示された他の通信機器（第１又は第２の無線通信装置）に当該機器情報を割り当てる。
【００４３】
なお、機器情報を割り当てる際には次の手法を用いるようにしてもよい。例えば、システム制御部３０７は通信部３０９によって第１の無線通信装置１０１に係る型番を第１の無線通信装置１０１に備えられたＬＣＤに表示する。そして、システム制御部３０７はＬＣＤに型番が表示された他の通信装置について、撮像によって得られた映像から他の通信装置の型番を画像認識する。その後、システム制御部３０７は、画像認識によって得られた型番と機器情報管理テーブル６０１に記録した型番とを比較する。そして、型番が等しければ、システム制御部３０７は表示部２０２に表示された他の通信機器（第１又は第２の無線通信装置）に当該機器情報を割り当てる。
【００４４】
このようにして、システム制御部３０７は、表示部２０２に表示された他の通信装置について機器情報を割り当てて、他の通信装置が表示部２０２においていずれの箇所に表示されているかを判定する。
【００４５】
なお、ＬＣＤに型番以外の情報を表示するようにしもよく、ＬＣＤにユニークな２次元画像を表示して、当該画像を画像認識してその結果に応じて機器情報を割り当てるようにしてもよい。
【００４６】
ユニークな２次元画像を用いる場合には、システム制御部３０７は通信部３０９によって周辺の他の通信装置からユニークな２次元画像を取得する。そして、システム制御部３０７は他の通信装置とユニークな２次元画像とを対応付けて機器情報管理テーブル６０１で管理する。
【００４７】
続いて、システム制御部３０７は機器情報に基づいて、表示部２０２に表示された他の通信機器についてネットワーク接続を示す接続線を表示制御する（ステップＳ４０５）。
【００４８】
図６は、図４に示す映像において第１の無線通信装置および第２の無線通信装置のネットワーク接続を示す接続線が表示された状態を示す図である。
【００４９】
図示の例では、第１の無線通信装置１０１および第２の無線通信装置１０２は、実線で示す第１の接続線（接続表示体）７０１によって結ばれている。このように第１の接続線７０１を表示部２０２に表示すれば、第１の無線通信装置１０１および第２の無線通信装置１０２が無線ネットワーク接続されていることを可視化することができる。
【００５０】
無線ネットワーク接続を可視化する際には、撮像部３０３において撮像可能な撮像範囲を拡大するため、システム制御部３０７は鏡筒２０８を広角に駆動することが望ましい。この場合、システム制御部３０７は可視化モードが選択されたことに連動して、鏡筒２０８を外部に繰り出すか又は鏡筒２０８を最も広範囲を撮像可能な広角側に駆動する。
【００５１】
図６に示す例では、第１の無線通信装置１０１の近傍に、第１の無線通信装置１０１の機器情報が第１の機器情報１０３として表示される。この第１の機器情報１０３は、機器情報管理テーブル６０１に記録された第１の無線通信装置１０１に係る機器情報である。ここでは、第１の機器情報１０３として、第１の無線通信装置１０１の機器名１０４と第１の無線通信装置１０１に備えられた通信規格情報１０５が表示される。なお、第１の無線通信装置１０１は第１の通信規格と第２の通信規格を備えているので、ここでは、複数の通信規格が表示される。
【００５２】
同様にして、第２の無線通信装置１０２の近傍に、第２の無線通信装置１０２の機器情報が第２の機器情報１０６として表示される。この第２の機器情報１０６は、機器情報管理テーブル６０１に記録された第２の無線通信装置１０２に係る機器情報である。ここでは、第２の機器情報１０６として、第２の無線通信装置１０２の機器名１０７と第２の無線通信装置１０２に備えられた通信規格情報１０８が表示される。
【００５３】
このように、システム制御部３０７は、ネットワーク接続を示す第１の接続線７０１ばかりでなく、第１の機器情報１０３および第２の機器情報１０６などの機器情報を表示部２０２に表示する。
【００５４】
再び図３を参照して、システム制御部３０７は検出部３１０によってユーザ（使用者）のタッチ操作が検出されたか否かを判定する（ステップＳ４０６）。タッチ操作が検出されると（ステップＳ４０６において、ＹＥＳ）、システム制御部３０７は当該タッチ操作がネットワーク接続を切断する操作（切断操作）であるか否かを判定する（ステップＳ４０７）。
【００５５】
図７は、図６に示す映像においてユーザが第１の無線通信装置と第２の無線通信装置とのネットワーク接続について切断操作を行う際の一例を説明するための図である。なお、ここでは、既に第１の無線通信装置１０１と第２の無線通信装置１０２とはネットワーク接続されているものとする。
【００５６】
第１の無線通信装置１０１と第２の無線通信装置１０２とのネットワーク接続を切断操作する際には、ユーザは手（指）１１３で第１の接続線７０１を弾くようにタッチ操作する。代わりに、ユーザは第２の接続線７０１を横切るようにタッチ操作してもよい。
【００５７】
このようなタッチ操作が行われると、システム制御部３０７はユーザによって切断操作が行われたと判定する。
【００５８】
続いて、タッチ操作が切断操作であると（ステップＳ４０７において、ＹＥＳ）、システム制御部３０７は切断処理が可能なネットワーク接続であるか否かを判定する（ステップＳ４０８）。切断処理可能なネットワーク接続であると（ステップＳ４０８において、ＹＥＳ）、システム制御部３０７は通信部３０９によって第１の無線通信装置１０１および第２の無線通信装置１０２にネットワーク接続の切断を要求する（ステップＳ４０９）。これによって、第１の無線通信装置１０１および第２の無線通信装置１０２の各々は、システム制御部３０７から送られた切断要求信号に応じてネットワーク接続を切断する。
【００５９】
続いて、システム制御部３０７は通信部３０９によって第１の無線通信装置１０１および第２の無線通信装置１０２と通信を行ってネットワーク接続の切断を確認する。そして、ネットワーク接続の切断を確認すると、システム制御部３０７は表示部２０２に表示されている第１の接続線７０１を非表示とする（ステップＳ４１０）。その後、システム制御部４１０はステップＳ４０２の処理に戻る。
【００６０】
ステップＳ４０６において、タッチ操作が検出されないと（ステップＳ４０６において、ＮＯ）、システム制御部３０７はステップＳ４０２の処理に戻る。
【００６１】
ステップＳ４０７において、タッチ操作が切断操作でないと（ステップＳ４０７において、ＮＯ）、システム制御部３０７はタッチ操作がネットワーク接続を行う接続操作であるか否かを判定する（ステップＳ４１１）。
【００６２】
図８は、図２に示すカメラにおいてユーザによる接続操作の一例を説明するための図である。
【００６３】
なお、ここでは、ユーザがカメラ２００と第１の無線通信装置１０１とを接続操作する場合について説明する。ここでは、第１の無線通信装置１０１と第２の無線通信装置１０２とはネットワーク接続されていないものとする。
【００６４】
さらに、図６および図７などには表示されていないが、図８に示すように、表示部２０２には映像に重畳してカメラ２００を示すアイコン（自機器表示体）１０９が表示される。また、アイコン１０９の近傍に、カメラ２００の機器情報が第３の機器情報１１０として表示される。この第３の機器情報１１０として、カメラ２００の機器名であるデジタルカメラ１１１とカメラ２００に備えられた通信規格情報１１２が表示される。カメラ２００は第１の通信規格と第２の通信規格を備えているので、ここでは、複数の通信規格が表示される。
【００６５】
いま、カメラ２００と第１の無線通信装置１０１とのネットワークを接続したい場合、ユーザはアイコン１０９と第１の無線通信装置１０１と間を手（指）１１３でタッチした状態でなぞる。検出部３１０によって当該タッチ操作が検出されると、システム制御部３０７はカメラ２００と第１の無線通信装置１０１との接続操作が行われたと判定する。
【００６６】
なお、接続操作を行う場合には、ネットワーク接続を行いたい無線通信装置（カメラを含む）をタッチ操作するようにしてもよい。
【００６７】
接続操作が検出されると（ステップＳ４１１において、ＹＥＳ）、システム制御部３０７はユーザによって通信規格が選択されたか否かを判定する（ステップＳ４１２）。なお、通信規格を選択する際には、ユーザは表示部２０２に表示された第３の通信規格情報１１２において所望の通信規格をタッチ操作すればよい。
【００６８】
通信規格が選択されないと（ステップＳ４１２において、ＮＯ）、システム制御部３０７は通信部３０９によって第１の無線通信装置１０１に無線によるネットワーク接続を要求する（ステップＳ４１３）。当該要求に応じて、第１の無線通信装置１０１はカメラ２００と無線によるネットワーク接続を行う（つまり、ネットワーク接続を確立する）。
【００６９】
続いて、システム制御部３０７は通信部３０９によって第１の無線通信装置１０１と通信を行って無線によるネットワーク接続を確認する。そして、ネットワーク接続を確認すると、システム制御部３０７は、アイコン１０９と第１の無線通信装置１０１とを結ぶ接続線（第２の接続線）を表示する（ステップＳ４１４）。その後、システム制御部３０７はステップＳ４０２の処理に戻る。
【００７０】
接続操作が検出されないと（ステップＳ４１１において、ＮＯ）、システム制御部３０７はユーザによって可視化モードを終了する操作（終了操作）が行われなか否かを判定する（ステップＳ４１５）。終了操作が行われないと（ステップＳ４１５において、ＮＯ）、システム制御部３０７はステップＳ４０２の処理に戻る。一方、終了操作が行われると（ステップＳ４１５において、ＹＥＳ）、システム制御部３０７は接続処理を終了する。
【００７１】
通信規格が選択されると（ステップＳ４１２において、ＹＥＳ）、システム制御部３０７は検出部３１０で検出されたタッチ操作に応じてユーザが選択した通信規格を決定する（ステップＳ４１６）。システム制御部３０７は通信部３０９によって、選択された通信規格を用いてカメラ２００と第１の無線通信装置１０１とのネットワーク接続を行う（ステップＳ４１７）。そして、システム制御部３０７はステップＳ４１４の処理に進む。
【００７２】
ステップＳ４０８において、切断処理可能なネットワーク接続でないと（ステップＳ４０８において、ＮＯ）、システム制御部３０７は、後述するようにして、ネットワーク接続の切断を不許可とする（ステップＳ４１８）。
【００７３】
図９は、図２に示すカメラにおけるネットワーク接続の切断の不許可について説明するための図である。
【００７４】
ここでは、図８で説明した接続処理によって、カメラ２００は第１の無線通信装置１０１および第２の無線通信装置１０２とネットワーク接続されているものとする。この際には、アイコン１０９と第１の無線通信装置１０１とは、破線で示す第２の接続線９０１で結ばれ、アイコン１０９と第２の無線通信装置１０２とは、破線で示す第３の接続線９０２で結ばれる。
【００７５】
ところで、第２の接続線９０１および第３の接続線９０２は、カメラ２００とのネットワーク接続を示しており、当該ネットワーク接続が不用意に切断されることは好ましくない。よって、ここではカメラ２００とのネットワーク接続は切断不可のネットワーク接続であるものとする。
【００７６】
なお、切断不可のネットワーク接続として、例えば、カメラ２００がインターネット又はクラウドに接続されているネットワーク接続が挙げられる。さらには、切断不可のネットワーク接続として、予め切断不可が設定されたネットワーク接続を挙げることができる。
【００７７】
また、切断不可のネットワーク接続については、第２の接続線９０１および第３の接続線９０２で示すように、接続線を破線として前述の第１の接続線７０１（実線）と異なるようにする。さらには、切断不可のネットワーク接続については接続線を表示しないようにしてもよい。
【００７８】
続いて、システム制御部３０７は当該ネットワーク接続の切断が不許可である旨を表示部２０２に表示する（ステップＳ４１９）。そして、システム制御部３０７はステップＳ４０６の処理に戻る。
【００７９】
ここで、ユーザがカメラ２００において複数の無線通信装置をネットワーク接続する際の操作について説明する。
【００８０】
図１０は、図２に示すカメラにおいて第１の無線通信装置と第２の無線通信装置とをネットワーク接続する際の操作の一例を説明するための図である。
【００８１】
カメラ２００において第１の無線通信装置１０１と第２の無線通信装置１０２とを無線によってネットワーク接続する際には、ユーザは手（指）１１３で第１の無線通信装置１０１および第２の無線通信装置１０２の間をタッチした状態でなぞる。当該タッチ操作を検出部３１０によって検出すると、システム制御部３０７は第１の無線通信装置１０１と第２の無線通信装置１０２とを無線によってネットワーク接続する操作が行われたと判定する。
【００８２】
システム制御部３０７は通信部３０９によって第１の無線通信装置１０１および第２の無線通信装置１０２にネットワーク接続を要求する。第１の無線通信装置１０１および第２の無線通信装置１０２の各々は、当該接続要求に応じて無線によるネットワーク接続を行う。
【００８３】
システム制御部３０７は通信部３０９によって第１の無線通信装置１０１および第２の無線通信装置１０２と通信を行ってネットワーク接続を確認する。ネットワーク接続を確認すると、システム制御部３０７は、図６で説明したように、第１の無線通信装置１０１と第２の無線通信装置１０２とを第１の接続線７０１で結んでネットワーク接続を可視化する。
【００８４】
図１０においては、一対一で無線通信装置をネットワーク接続する例について説明したが、複数の通信装置を対象としてネットワーク接続する場合には、例えば、次のような操作を行えばよい。ユーザはネットワーク接続の対象となる通信装置の全てをタッチ操作するか又は対象となる通信装置の全てを円で囲む操作を行う。これによって、システム制御部３０７はユーザがネットワーク接続を行うと選択した複数の通信装置を判定する。
【００８５】
システム制御部３０７は通信部３０９によって、選択された複数の通信装置にネットワーク接続を要求する。これによって、複数の通信装置の各々は当該接続要求に応じてネットワーク接続を行う。そして、ネットワーク接続を確認した後、システム制御部３０７は、前述のようにしてネットワーク接続を可視化する。
【００８６】
なお、上述の実施の形態では、表示部２０２にタッチパネルを配置して、映像を表示する領域とユーザがタッチ操作する領域とが同一の領域である場合について説明した。一方、ヘッドマウントディスプレイを用いれば、表示領域と操作領域とを異ならせることができる。
【００８７】
この場合には、検出部３１０としてモーションセンサを用いて、モーションセンサによってユーザの腕又は指の動きを検出する。これによって、表示領域（ネットワーク接続を可視化する領域）と操作領域とが異なっていても、ユーザがネットワーク接続を行いたい通信装置を選択することができる。
【００８８】
このように、本発明の実施の形態では、ネットワーク接続を可視化するようにしたので、ユーザはネットワーク接続を行いたい通信装置を容易に選択することができる。
【００８９】
以上、本発明について実施の形態に基づいて説明したが、本発明は、これらの実施の形態に限定されるものではなく、この発明の要旨を逸脱しない範囲の様々な形態も本発明に含まれる。
【００９０】
例えば、上記の実施の形態の機能を制御方法として、この制御方法を電子機器に実行させるようにすればよい。また、上述の実施の形態の機能を有するプログラムを制御プログラムとして、当該制御プログラムを電子機器が備えるコンピュータに実行させるようにしてもよい。なお、制御プログラムは、例えば、コンピュータに読み取り可能な記録媒体に記録される。
【００９１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９２】
２０２  表示部
３０３  撮像部
３０４  画像処理部
３０５  タイミング信号発生部
３０６  撮像光学系駆動部
３０７  システム制御部
３０８  無線アンテナ
３０９  通信部
３１０  検出部
３１１  メモリ
【図１】
2019003496.tif 000003
【図２】
2019003496.tif 000004
【図３】
2019003496.tif 000005
【図４】
2019003496.tif 000006
【図５】
2019003496.tif 000007
【図６】
2019003496.tif 000008
【図７】
2019003496.tif 000009
【図８】
2019003496.tif 000010
【図９】
2019003496.tif 000011
【図１０】
2019003496.tif 000012